【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
被制御装置に設けられた受信機に制御信号を送信し、被制御装置をコントロールするリモコン装置であって、
筐体表面に設けられた複数の操作部と、
前記筐体に複数設けられ、夫々異なる方向に制御信号を送信する信号送信部と、
前記複数の操作部のうち、操作された操作部から出力される操作信号に基づいて、前記複数の信号送信部のうち、一つの信号送信部から選択的に制御信号を送出するための制御を行う制御部と、
を有することを特徴とするリモコン装置。
【請求項２】
前記複数の信号送信部は、筐体の長尺側側面に設けられた第１の信号送信部及び筐体の短尺側側面に設けられた第２の信号送信部とを少なくとも含むことを特徴とする請求項１に記載のリモコン装置。
【請求項３】
前記複数の操作部は、筐体の第１の面に設けられた第１の操作部と、第１の面と反対側の面に設けられた第２の操作部とを少なくとも含み、
前記制御部は、前記第１の操作部が操作された場合には前記第１の信号送信部から信号を送信する制御を実行し、前記第２の操作部が操作された場合には前記第２の信号送信部から信号を送信する制御を実行することを特徴とする請求項２に記載のリモコン装置。
【請求項４】
前記筐体の長尺方向にスライド可能な扉体と、当該扉体が開くことで露出する第３の操作部と、筐体の短尺側側面に設けられた第３の信号送信部と、を備え、
前記制御部は、前記第３の操作部から出力される操作信号に基づいて、前記第３の信号送信部から制御信号を送出するための制御を実行することを特徴とする請求項３に記載のリモコン装置。
【請求項５】
前記第２の操作部を上方に向けた状態における前記第３の信号送信部の送信方向は、前記第２の操作部を上方に向けた状態における第２の信号送信部の送信方向に対して斜め下方向となるように前記第３の信号送信部が筐体に設けられていることを特徴とする請求項４に記載のリモコン装置。
【請求項６】
被制御装置に設けられた受信機に制御信号を送信し、被制御装置をコントロールするリモコン装置であって、
筐体表面に設けられた複数の操作部と、
前記筐体に複数設けられ、夫々異なる方向に制御信号を送信する信号送信部と、
前記筐体の向きを検出する検出部と、
前記検出部の検出結果に基づいて、前記複数の操作部のいずれかが操作された際に前記複数の信号送信部のうち、一つの信号送信部から制御信号を送出する制御を実行する制御手段と、
を有することを特徴とするリモコン装置。
【請求項７】
前記複数の信号送信部は、筐体の長尺側側面に設けられた第１の信号送信部及び筐体の短尺側側面に設けられた第２の信号送信部とを少なくとも含むことを特徴とする請求項６に記載のリモコン装置。
【請求項８】
前記複数の操作部は、前記筐体の第１の面に設けられた第１の操作部と、第１の面と反対側の面に設けられた第２の操作部とを少なくとも含み、
前記制御部は、前記検出部によって検出された筐体の向きによって、上方向を向いている操作部が前記第１の操作部であると判断した場合には前記第１の信号送信部から信号を送信する制御を実行し、上方向を向いている操作部が前記第２の操作部であると判断した場合には前記第２の信号送信部から信号を送信する制御を実行することを特徴とする請求項７に記載のリモコン装置。
【請求項９】
被制御装置に設けられた受信機に制御信号を送信し、被制御装置をコントロールするリモコン装置であって、
筐体表面に設けられた複数の操作部と、
前記筐体に複数設けられ、夫々異なる方向に制御信号を送信する信号送信部と、
前記筐体の把持状態を検出する検出部と、
前記検出部の検出結果に基づいて、前記複数の操作部のいずれかが操作された際に前記複数の信号送信部のうち、一つの信号送信部から制御信号を送出する制御を実行する制御手段と、
を有することを特徴とするリモコン装置。
【請求項１０】
前記複数の信号送信部は、筐体の長尺側側面に設けられた第１の信号送信部及び筐体の短尺側側面に設けられた第２の信号送信部とを少なくとも含むことを特徴とする請求項９に記載のリモコン装置。
【請求項１１】
前記複数の操作部は、筐体の第１の面に設けられた第１の操作部と、第１の面と反対側の面に設けられた第２の操作部とを少なくとも含み、
前記制御部は、前記検出部によって検出された把持状態によって、操作される操作部が前記第１の操作部であると判断した場合には前記第１の信号送信部から信号を送信する制御を実行し、操作される操作部が前記第２の操作部であると判断した場合には前記第２の信号送信部から信号を送信する制御を実行することを特徴とする請求項７に記載のリモコン装置。
【請求項１２】
請求項１乃至１１のいずれか１項に記載のリモコン装置と、
当該リモコン装置から送信される制御信号を受信する受信機と、
当該受信機で受信した制御信号に基づいて動作を制御する制御部と
を備えたことを特徴とする情報処理システム。
【手続補正２】
【補正対象書類名】明細書
【補正対象項目名】発明の名称
【補正方法】変更
【補正の内容】
【発明の名称】リモコン装置
【手続補正３】
【補正対象書類名】明細書
【補正対象項目名】０００１
【補正方法】変更
【補正の内容】
【０００１】
本発明は、テレビなどの情報処理装置を遠隔操作するために用いるリモコン装置に関する。
【手続補正４】
【補正対象書類名】明細書
【補正対象項目名】００１４
【補正方法】変更
【補正の内容】
【００１４】
本発明は、上述した課題に鑑みなされたものであり、被制御装置に設けられた受信機に制御信号を送信し、被制御装置をコントロールするリモコン装置であって、筐体表面に設けられた複数の操作部と、前記筐体に複数設けられ、夫々異なる方向に制御信号を送信する信号送信部と、前記複数の操作部のうち、操作された操作部から出力される操作信号に基づいて、前記複数の信号送信部のうち、一つの信号送信部から選択的に制御信号を送出するための制御を行う制御部と、を有することを特徴とする。
【手続補正５】
【補正対象書類名】明細書
【補正対象項目名】００１５
【補正方法】変更
【補正の内容】
【００１５】
また、本発明は、被制御装置に設けられた受信機に制御信号を送信し、被制御装置をコントロールするリモコン装置であって、筐体表面に設けられた複数の操作部と、前記筐体に複数設けられ、夫々異なる方向に制御信号を送信する信号送信部と、前記筐体の向きを検出する検出部と、前記検出部の検出結果に基づいて、前記複数の操作部のいずれかが操作された際に前記複数の信号送信部のうち、一つの信号送信部から制御信号を送出する制御を実行する制御手段と、を有することを特徴とする。
【手続補正６】
【補正対象書類名】明細書
【補正対象項目名】００１６
【補正方法】変更
【補正の内容】
【００１６】
また、本発明は、被制御装置に設けられた受信機に制御信号を送信し、被制御装置をコントロールするリモコン装置であって、筐体表面に設けられた複数の操作部と、前記筐体に複数設けられ、夫々異なる方向に制御信号を送信する信号送信部と、前記筐体の把持状態を検出する検出部と、前記検出部の検出結果に基づいて、前記複数の操作部のいずれかが操作された際に前記複数の信号送信部のうち、一つの信号送信部から制御信号を送出する制御を実行する制御手段と、を有することを特徴とする。
【手続補正７】
【補正対象書類名】明細書
【補正対象項目名】００１７
【補正方法】変更
【補正の内容】
【００１７】
本発明によれば、複数の操作部と複数の信号送信部を備えるリモコン装置を用いる場合においても、消費電力の増大を招くことなく、適切に信号を送出することが可能となる。